(57)【要約】【課題】  本発明は、注意喚起シールが消滅することを防ぎ、規制リブが摩耗したことを判断しやすくする掃除機のノズルを提供するものである。【解決手段】  ブロワ装置１２に連通した吸込ホース８の先端に接続される吸込ノズル７であって、このノズル７の吸込口２０ａに吸い込むゴミの大きさを規制する規制リブ２３を設けるとともに、このノズル７の表面に吸い込みを禁止するゴミの種類を表記する注意喚起マーク２２を刻印し、規制リブ２３を吸込口２０ａから吸い込み方向に沿ってノズル内部に延在させ、その終端を注意喚起マーク２２の刻印された位置に合致させた。【選択図】図５
2018201690.tif 000002
【特許請求の範囲】
【請求項１】
ブロワ装置に連通した吸込ホースの先端に接続される吸込ノズルであって、該ノズルの吸込口に吸い込むゴミの大きさを規制する規制リブを設けるとともに、該ノズルの表面に吸い込みを禁止するゴミの種類を表記する注意喚起マークを刻印し、前記規制リブを吸込口から吸い込み方向に沿ってノズル内部に延在させ、その終端を前記注意喚起マークの刻印された位置に合致させたことを特徴とする掃除機のノズル。
【発明の詳細な説明】
【技術分野】
【０００１】
本発明は、主にシートや絨毯マット等の車内清掃に利用されるノズルに関するものである。
【背景技術】
【０００２】
車内清掃用の掃除機は、屋外に設置されて顧客が自由に使用できる環境にあることに加え、車内の入り組んだ掃除面に利用されることから、きわめてタフな利用状況が想定される。この掃除機に用いられるノズルは、隙間ノズルで構成されることが多く、ノズルの吸込口には吸引力低下やホース詰まりの原因となるティッシュやビニール等の吸い込みを規制するリブが設けられるとともに、機械不良の原因となるタバコや液体の吸い込みを禁止する注意喚起シールが貼布されている。
【０００３】
このノズルは、清掃面への配慮から軟質な樹脂材が使用されており、タフな利用環境下で先端が摩耗し、規制リブが削られ、注意喚起シールが剥がれていく。このような劣化で本来の機能を果たさなくなると、ノズル交換が必要になるが、交換のタイミングは管理者の裁量に任され、定量的に判断できる基準はない。そのため、規制リブや注意喚起シールがないまま使用され続け、吸引力低下や機械不良が発生することが危惧されていた。
【先行技術文献】
【特許文献】
【０００４】
【特許文献１】実用新案登録第２５４１９０６号
【特許文献２】実開平５−８０４４５号公報
【発明の概要】
【発明が解決しようとする課題】
【０００５】
そこで本発明は、注意喚起シールが消滅することを防ぎ、規制リブが摩耗したことを判断しやすくする掃除機のノズルを提供するものである。
【課題を解決するための手段】
【０００６】
このような課題を解決するために本発明は、ブロワ装置に連通した吸込ホースの先端に接続される吸込ノズルであって、該ノズルの吸込口に吸い込むゴミの大きさを規制する規制リブを設けるとともに、該ノズルの表面に吸い込みを禁止するゴミの種類を表記する注意喚起マークを刻印し、規制リブを吸込口から吸い込み方向に沿ってノズル内部に延在させ、その終端を注意喚起マークの刻印された位置に合致させたことを特徴とする。
【発明の効果】
【０００７】
本発明によれば、吸込ノズルの吸込口に設けた吸い込むゴミの大きさを規制する規制リブを、吸込ノズルの表面に刻印した注意喚起マークの位置に合致させて設けたので、吸込ノズルの先端が注意喚起マークの近傍まで摩耗すると、ノズルの交換時期であることが即座に認識され、規制リブが消失した状態で清掃が行われ、ティッシュやビニール等の大きなゴミを吸い込むことによる吸引力の低下やホース詰まりの発生を防ぐことができる。
【図面の簡単な説明】
【０００８】
【図１】本発明の掃除機の外観図である。
【図２】ホースフック９を示す説明図である。
【図３】掃除機本体１の内部構成を示す説明図である。
【図４】掃除機本体１の組立構成を示す説明図である。
【図５】吸込ノズル７の外観を示す説明図である。
【図６】吸込ノズル７の吸込口２０ａを示す説明図である。
【図７】ノズル体２０とノズル基体２１との接続を示す説明図である。
【発明を実施するための最良の形態】
【０００９】
以下、図面を基に本発明の実施態様について説明する。
図１は掃除機の外観図を示す。
１は掃除機本体で、前面に操作部２及びメンテナンス用扉３を備え、一側面にノズルホルダー４を備え、天面にブームベース５を備えている。６はブームで、中空管材からなり、ブームベース５に支持されて本体１の上方に立設されている。７は吸込ノズルで、ブーム６の先端に吊下された可撓性の吸込ホース８の先端に取り付けられ、不使用時においてノズルホルダー４に収容される。９はホースフックで、ブームベース５にバネ付きの蝶番を介して開閉自在に取り付けられ、不使用時に吸込ホース８を係止保持する。１０はエアホースで、ブーム６および吸込ホース８に沿って配設され、吸込ノズル７にエア噴射用の圧縮空気を送る。
【００１０】
ブームベース５は、本体１の天面にて水平方向に回動自在に取り付けられ、内部にブーム６を立ちあげ方向に付勢しながら傾倒自在に支持するバネと、ブーム６を所定の傾倒角度に固定するロック機構を備えており、その詳細な構成は本出願人が実用新案登録第２５４０３９９号で提案している。
【００１１】
ホースフック９は、図２に示すように、ブームベース５の前面板上端を天板よりも上方に延出させてフックベース９ａを形成し、このフックベース９ａの一側辺にバネ付き蝶番９ｂを介して先端を湾曲させたフック体９ｃを取り付けて構成している。湾曲させたフック体９ｃに吸込ホース８を係止することで、吸込ホース８をブームベース５に引っ掛けた状態に保持でき、この状態から吸込ホース８を前方（図中矢印方向）にバネの張力以上の力で引っ張ると、係止を解除することができる。このため、ホースに必要以上の荷重が掛かってもホースの損傷が防止される。
【００１２】
このような構成により、使用時には吸込ノズル７をノズルホルダー４から外し、このノズル７を持って吸込ホース８を引張り、ブーム６を傾倒させていき、ブーム６を所定角度に傾倒保持させてから掃除を行う。このとき、吸込ホース８は、ホースフック９に係止支持されているが、所定以上の力で引っ張ると保持を解除することができる。使用後は、ブーム６の傾倒を戻し、吸込ホース８をホースフック９に掛止させて吸込ノズル７をノズルホルダー４に戻す。ホースフック９は、不使用時において、吸込ホース８を気象条件の影響を受けることなく安定して係止保持し、使用時には吸込ホース８をバネ力に抗して引っ張ると保持解除することができるので、ホースへのダメージを軽減することができる。
【００１３】
図３は掃除機本体１の内部構成を示す。
本体１内は、仕切板１１により上下に仕切られ、上方の区画にはブロワ装置１２と集塵容器１３を備え、下方の区画にはコンプレッサー１４が設けられている。尚、コンプレッサー１４は、外部のエアタンクと接続する場合には不要となるので、下方の区画は用具収納等に活用される。集塵容器１３は、ブーム６に接続した吸込ダクト１５と、本体１の排気口に接続した排気ダクト１６が取り付けられ、内部にフィルター１７を装着し、操作レバー１８によって着脱自在に取り付けられる。
【００１４】
本体１は、屋外に設置されることを前提に設計されており、特に側面板１ａと背面板１ｂとの接合部Ｓから雨水が浸入することが想定されており、この浸入した雨水が本体１内部に入り込まないよう、図４に示すように、背面板１ｂの端縁Ｌ１を直角に折り曲げ、側面板１ａに断面Ｕ字もしくはＶ字のヘミング端縁Ｌ２を形成し、背面板１ｂの端縁Ｌ１が嵌合する構成としている。これにより、側面板１ａと背面板１ｂとの接合部Ｖから浸入した雨水がヘミング端縁Ｌ２で受け止められ、そのまま下方に落滴することになり、本体内部への浸入を防ぐことができる。
【００１５】
このような構成により、ブロワ装置１２が作動すると、吸込ダクト１５からブーム６・吸込ホース８を通じて吸込ノズル７に至る吸込経路が形成され、吸込ノズル７から塵埃を吸引することが可能になる。吸引した塵埃は、集塵容器１３に取り込まれてフィルター１７で分離されてから排気ダクト１６を通じて外気に排気される。
【００１６】
図５〜７は吸込ノズル７の構成を示す。
吸込ノズル７は、先端に縦長の吸込口２０ａを形成し、後端に円筒の接続筒２０ｂを形成したノズル体２０と、前端に該ノズル体２０の接続筒２０ｂが嵌まる嵌合筒２１ａを形成し、後端に吸込ホース８が接続される接続筒２１ｂを形成したノズル基体２１とから構成されている。
【００１７】
ノズル体２０は、清掃面への配慮から軟質な樹脂材が使用され、その吸込口２０ａを側面視で下部が短くなるように傾斜させ、狭い隙間や起伏のある清掃面に対して作用させやすくしている。ノズル体２０の側面には、図５に示すように、機械不良の原因となるタバコや液体の吸い込みを禁止する注意喚起マーク２２が刻設されている。また、ノズル体２０の内側には、吸引力低下やホース詰まりの原因となるティッシュやビニール等の吸い込むゴミの大きさを制限する規制リブ２３が設けられている。更に、ノズル体２０の下面には、エアホース２４を収容するエア室２５が一体形成されている。
【００１８】
注意喚起マーク２２は、一般的な禁止マーク（円形に斜めライン）内に、水滴やタバコ等の吸い込み禁止物の図形を示したピクトグラムで表されたもので、ノズル体２０の左右側面に一体的に刻印している。これにより、シールを貼布する場合に比べ、注意喚起表記が消失する危険性は低くなり、継続的に吸い込み禁止物の注意喚起を行うことができる。
【００１９】
規制リブ２３は、図６に示すように、吸込口２０ａの長手方向（縦方向）を上下に分割（ここでは３分割）するように、ノズル体２０の左右内壁から内側に突出形成され、左右のリブの先端同士に隙間Ｓが生じるように配置されている。この隙間Ｓは、糸くずや髪の毛などがリブ２３に引っ掛かりにくくするためのものである。この規制リブ２３は、吸込口２０ａの先端からノズル体２０の吸い込み方向に向かって水平に延設され、その終端位置は注意喚起マーク２２が刻印された位置に合致させている。これにより、ノズル体２０の吸込口２０ａが摩耗によって磨り減っていくとき、注意喚起マーク２２の位置を目安に規制リブ２３の残存が確認でき、ノズル体２０の交換タイミングを知ることができる。
【００２０】
ノズル基体２１は、水平部と屈曲部とで側面視へ字状に形成し、前端の嵌合筒２１ａにノズル体２０の接続筒２０ｂが嵌合し、後端の接続筒２１ｂに吸込ホース８が接続される。水平部の下面には、エアホース１０とエアホース２４を接続するエアバルブ２６が収容されるバルブ収容室２７が形成され、屈曲部には、利用者がノズル７を握る際のグリップ２８が形成される。
【００２１】
エアバルブ２６は、操作レバー２９により開閉操作され、エアホース１０より送られる高圧エアをエアホース２４側へ吐出する。操作レバー２９は、利用者がグリップ２８を握った状態で操作できる位置に設けられ、レバー２９を使わないときに邪魔にならないよう、グリップ２８とレバー２９との間隔が設定されている。ここでは、グリップ２８とレバー２９との間隔を、利用者がグリップ２８を握るのに支障がなく、グリップ２８を握った状態で指を伸ばせば届く範囲に設定し、この間隔をバネ（図示しない）によって保持して不使用時の操作レバー２９のガタツキを抑えることが望ましい。
【００２２】
ノズル体２０とノズル基体２１は、図７に示すように、ノズル体２０の接続筒２０ｂをノズル基体２１の嵌合筒２１ａに内嵌して接続される。接続筒２０ｂの外周面には、係止フック３０が形成され、嵌合筒２１ａの内周面には、ノズル体２０の挿入方向に沿ってリブ３１が３箇所に形成されるとともに、係止フック３０が嵌まる係止孔３２が形成されている。これにより、接続筒２０ｂを嵌合筒２１ａに嵌合したとき、接続筒２０ｂの周面がリブ３１に摺接しながら圧入され、係止フック３０が係止孔３２に嵌まることで係合保持されることになり、部品の寸法バラツキによる接合不良を軽減し、ノズル体２０の交換も容易に行うことができる。
【００２３】
このように構成する掃除機は、車内清掃用としてサービスステーションやコイン洗車場などに設置される。前面の操作部２には、特に図示しないが、コインメックを備え、所定金額が投入されると、ブロワ装置１２が起動して集塵作業が可能となる。ブロワ装置１２が起動すると、前述したように、吸込ノズル７を用いて車内清掃が行うことができる。また、コンプレッサー１４も起動し、エアホース１５を通じて吸込ノズル７に高圧エアが供給されるため、必要に応じて操作レバー２９でエアバルブ２６を開弁することで、エアホース２４から清掃面にエアを吹き付けて塵埃を浮上させてから吸込ノズル７で吸引することができる。
【００２４】
長年の使用により、吸込ノズル７のノズル体２０先端が摩耗してくる。これにより、吸い込むゴミの大きさを制限する規制リブ２３が磨り減っていき、本来の機能を果たさなくなる。この規制リブ２３は、ノズル体２０側面に刻印した注意喚起マーク２２の位置に合致させて設けられているため、注意喚起マーク２２の位置までノズル体２０先端が摩耗すると、ノズル体２０の交換時期であることが認識される。ノズル体２０は、係止フック３０を係止孔３２から外すことで、ノズル基体２１から外すことができ、容易に交換することできる。
【符号の説明】
【００２５】
１    掃除機本体
７    吸込ノズル
８    吸込ホース
２２  注意喚起マーク
２３  規制リブ
【図１】
2018201690.tif 000003
【図２】
2018201690.tif 000004
【図３】
2018201690.tif 000005
【図４】
2018201690.tif 000006
【図５】
2018201690.tif 000007
【図６】
2018201690.tif 000008
【図７】
2018201690.tif 000009